(57)【要約】【課題】  内部機器を保護して外観上の体裁を良好に維持すること。【解決手段】  前後進ａ，ｂ可能なトレイ１を備えたプレーヤ本体２が筐体３内に配置され、該筐体３のフロントパネル３Ａにトレイ取出口４が開設され、該トレイ取出口４に開閉ドア５がばねにより常時閉鎖方向ｄに付勢された状態で開閉可能に配置され、フロントパネル３Ａのトレイ取出口４の下方に表示孔１２が開設されると共に、該表示孔１２の後方に発光ダイオードＰＤが配置されたディスクプレーヤにおいて、前記開閉ドア５の下縁からフロントパネル３Ａとプレーヤ本体２との間の空間βを通って下方に延びるスカート板１８が設けられ、該スカート板１８の後面両端と開閉ドア５の後面との間に左右一対の端板１９が一体形成されている。【選択図】        図２
2005190580.tif 000002
【特許請求の範囲】
【請求項１】
前後進可能なトレイを備えたプレーヤ本体が筐体内に配置され、該筐
体のフロントパネルにトレイ取出口が開設され、該トレイ取出口に開閉ドアがばねにより
常時閉鎖方向に付勢された状態で開閉可能に配置されており、電源をオン操作し、アンロ
ーディング信号に基づいて前進させたトレイにより開閉ドアをばねに抗して押し開き、こ
これにより、前方に突出させたトレイ上にディスクを載置し、ローディング信号に基づい
てトレイを後進させた後、ディスクに対して再生や録画または消去の操作が行われ、前記
フロントパネルのトレイ取出口の下方に表示孔が開設されると共に、該表示孔の後方に発
光ダイオードが配置されており、電源操作や再生及び録画などの操作に連動して表示孔を
発光ダイオードにより点滅させるようにしたディスクプレーヤにおいて、前記開閉ドアの
下縁からフロントパネルとプレーヤ本体との間の空間を通って下方に延びるスカート板が
該開閉ドアのほぼ全幅にわたって設けられ、該スカート板の後面両端と開閉ドアの後面と
の間に左右一対の端板が一体形成されていることを特徴とするディスクプレーヤ。
【請求項２】
前後進可能なトレイを備えたプレーヤ本体が筐体内に配置され、該筐
体のフロントパネルにトレイ取出口が開設され、該トレイ取出口に開閉ドアがばねにより
常時閉鎖方向に付勢された状態で開閉可能に配置されており、電源をオン操作し、アンロ
ーディング信号に基づいて前進させたトレイにより開閉ドアをばねに抗して押し開き、こ
これにより、前方に突出させたトレイ上にディスクを載置し、ローディング信号に基づい
てトレイを後進させた後、ディスクに対して再生や録画または消去の操作が行われ、前記
フロントパネルのトレイ取出口の下方に表示孔が開設されると共に、該表示孔の後方に発
光ダイオードが配置されており、電源操作や再生及び録画などの操作に連動して表示孔を
発光ダイオードにより点滅させるようにしたディスクプレーヤにおいて、前記開閉ドアの
下縁からフロントパネルとプレーヤ本体との間の空間を通って下方に延びるスカート板が
該開閉ドアのほぼ全幅にわたって設けられ、該スカート板の後面両端と開閉ドアの後面と
の間に左右一対の端板が一体形成され、前記隙間とほぼ平行する突条がその隙間よりも下
方位置で前記スカート板の前面に一体突設されていることを特徴とするディスクプレーヤ
。
【請求項３】
前後進可能なトレイを備えたプレーヤ本体が筐体内に配置され、該筐
体のフロントパネルにトレイ取出口が開設され、該トレイ取出口に開閉ドアがばねにより
常時閉鎖方向に付勢された状態で開閉可能に配置されており、電源をオン操作し、アンロ
ーディング信号に基づいて前進させたトレイにより開閉ドアをばねに抗して押し開き、こ
これにより、前方に突出させたトレイ上にディスクを載置し、ローディング信号に基づい
てトレイを後進させた後、ディスクに対して再生や録画または消去の操作が行われるよう
にしたディスクプレーヤにおいて、前記開閉ドアの下縁からフロントパネルとプレーヤ本
体との間の空間を通って下方に延びるスカート板が該開閉ドアのほぼ全幅にわたって設け
られていることを特徴とするディスクプレーヤ。
【請求項４】
前記スカート板の後面両端と開閉ドアの後面との間に左右一対の端板
が一体形成されていることを特徴とする請求項３に記載のディスクプレーヤ。
【請求項５】
前記隙間とほぼ平行する突条がその隙間よりも下方位置で前記スカー
ト板の前面に一体突設されていることを特徴とする請求項３または４に記載のディスクプ
レーヤ。
【発明の詳細な説明】
【技術分野】
【０００１】
本発明は、例えばＤＶＤなどの光ディスク、磁気ディスク（以下、ディスクと略称する
）の再生や録画または消去を行うためのディスクプレーヤに関する。
【背景技術】
【０００２】
従来、ディスクプレーヤの技術として特許文献１などの記載したものがあり、その一例
として図９〜図１１に示すものがある。これは、前後進ａ，ｂ可能なトレイ１を備えたプ
レーヤ本体２が筐体３内に配置され、該筐体３のフロントパネル３Ａにトレイ取出口４が
開設され、該トレイ取出口４に開閉ドア５が開閉ｃ，ｄ可能に配置され、該開閉ドア５の
後面両端に左右一対の側面視略コ字状枠部６が一体突設されると共に、該各枠部６の下端
に左右一対の支軸７が同心状に一体突設されており、該各支軸７をフロントパネル３Ａの
後面に突設した左右一対のブラケット８に貫設した軸受孔８ａに挿通し、一方の支軸７に
巻回したばね９により開閉ドア５を閉鎖方向ｄに付勢している。なお、図９中、１０は他
方の支軸７の側方においてフロントパネル３Ａの後面に突設した開閉ドア位置決め突起部
である。
【０００３】
図９及び図１０に示すように、フロントパネル３Ａのトレイ取出口４の下方に電源や再
生及び録画などを表示するための１つまたは複数（この例では３つ）の表示孔１２が開設
されると共に、該表示孔１２の後方に発光ダイオードＰＤが配置され、表示孔１２から発
光ダイオードＰＤの近くまでアクリル樹脂などからなる光導線１３が配線されている。な
お、図９中、１４は電源などの操作釦である。
【０００４】
操作手順を説明すると、図１０（ａ）に示す状態から電源をオン操作し、アンローディ
ング信号に基づいてトレイ１を前進ａさせることにより、図１０（ｂ）に示すように、ト
レイ１により開閉ドア５をばね９に抗して押し開き、これにより、前方に突出させたトレ
イ１上にディスク（図示せず）を載置する。続いて、ローディング信号に基づいてトレイ
１を後進ｂさせると、開閉ドア５がばね９により閉鎖方向ｄに回動されてトレイ取出口４
を塞ぎ、その後、ディスクに対して再生や録画または消去の操作が行われ、その操作に連
動して表示孔１２を発光ダイオードＰＤにより光導線１３を介して点滅させる。
【特許文献１】特開２００２−３３４５６６号公報
【発明の開示】
【発明が解決しようとする課題】
【０００５】
上記従来の構成では、図１０（ａ）に示すように、開閉ドア５の下縁とトレイ取出口４
の下縁との間の隙間αに子供の悪戯などで針金１６を差し込まれたときに、その針金１６
により筐体３内のプレーヤ本体２などの内部機器が傷付けられたり感電するおそれがある
と共に、前記隙間αから発光ダイオードＰＤの光が漏れて、外観上の体裁が悪く、その隙
間αから騒音が漏れるという難点もある。
【０００６】
また、ローディング信号に基づいてトレイ１を後進ｂさせ開閉ドア５によりトレイ取出
口４を塞ぐまでの間に、そのトレイ取出口４が一時的ではあるが全面開放されるため〔図
１０（ｂ）及び図１１参照〕、その全面開放のトレイ取出口４を通して筐体３の内部が外
部に晒されて、外観上の体裁が悪い。
【０００７】
そこで、トレイ取出口４の下縁から上方に延びる塞ぎ板を設け、その塞ぎ板により隙間
αを塞ぐことが考えられるが、これでは、トレイ１の前後進ａ，ｂを阻害しないよう塞ぎ
板を設けることが困難であり、設計上の障害が大き過ぎる。
【０００８】
本発明は、上記従来の欠点に鑑み、内部機器を保護して外観上の体裁を良好に維持する
ことができるようにしたディスクプレーヤを提供することを目的としている。
【課題を解決するための手段】
【０００９】
上記目的を達成するため、請求項１に記載の発明は、前後進可能なトレイを備えたプレ
ーヤ本体が筐体内に配置され、該筐体のフロントパネルにトレイ取出口が開設され、該ト
レイ取出口に開閉ドアがばねにより常時閉鎖方向に付勢された状態で開閉可能に配置され
ており、電源をオン操作し、アンローディング信号に基づいて前進させたトレイにより開
閉ドアをばねに抗して押し開き、ここれにより、前方に突出させたトレイ上にディスクを
載置し、ローディング信号に基づいてトレイを後進させた後、ディスクに対して再生や録
画または消去の操作が行われ、前記フロントパネルのトレイ取出口の下方に表示孔が開設
されると共に、該表示孔の後方に発光ダイオードが配置されており、電源操作や再生及び
録画などの操作に連動して表示孔を発光ダイオードにより点滅させるようにしたディスク
プレーヤにおいて、前記開閉ドアの下縁からフロントパネルとプレーヤ本体との間の空間
を通って下方に延びるスカート板が該開閉ドアのほぼ全幅にわたって設けられ、該スカー
ト板の後面両端と開閉ドアの後面との間に左右一対の端板が一体形成されていることを特
徴としている。
【００１０】
請求項２に記載の発明は、前後進可能なトレイを備えたプレーヤ本体が筐体内に配置さ
れ、該筐体のフロントパネルにトレイ取出口が開設され、該トレイ取出口に開閉ドアがば
ねにより常時閉鎖方向に付勢された状態で開閉可能に配置されており、電源をオン操作し
、アンローディング信号に基づいて前進させたトレイにより開閉ドアをばねに抗して押し
開き、ここれにより、前方に突出させたトレイ上にディスクを載置し、ローディング信号
に基づいてトレイを後進させた後、ディスクに対して再生や録画または消去の操作が行わ
れ、前記フロントパネルのトレイ取出口の下方に表示孔が開設されると共に、該表示孔の
後方に発光ダイオードが配置されており、電源操作や再生及び録画などの操作に連動して
表示孔を発光ダイオードにより点滅させるようにしたディスクプレーヤにおいて、前記開
閉ドアの下縁からフロントパネルとプレーヤ本体との間の空間を通って下方に延びるスカ
ート板が該開閉ドアのほぼ全幅にわたって設けられ、該スカート板の後面両端と開閉ドア
の後面との間に左右一対の端板が一体形成され、前記隙間とほぼ平行する突条がその隙間
よりも下方位置で前記スカート板の前面に一体突設されていることを特徴としている。
【００１１】
請求項３に記載の発明は、前後進可能なトレイを備えたプレーヤ本体が筐体内に配置さ
れ、該筐体のフロントパネルにトレイ取出口が開設され、該トレイ取出口に開閉ドアがば
ねにより常時閉鎖方向に付勢された状態で開閉可能に配置されており、電源をオン操作し
、アンローディング信号に基づいて前進させたトレイにより開閉ドアをばねに抗して押し
開き、ここれにより、前方に突出させたトレイ上にディスクを載置し、ローディング信号
に基づいてトレイを後進させた後、ディスクに対して再生や録画または消去の操作が行わ
れるようにしたディスクプレーヤにおいて、前記開閉ドアの下縁からフロントパネルとプ
レーヤ本体との間の空間を通って下方に延びるスカート板が該開閉ドアのほぼ全幅にわた
って設けられていることを特徴としている。
【００１２】
請求項４記載の発明は、請求項３に記載の発明において、前記スカート板の後面両端と
開閉ドアの後面との間に左右一対の端板が一体形成されていることを特徴としている。
【００１３】
請求項５に記載の発明は、請求項３または４に記載の発明において、前記隙間とほぼ平
行する突条がその隙間よりも下方位置で前記スカート板の前面に一体突設されていること
を特徴としている。
【発明の効果】
【００１４】
請求項１に記載の発明は第１の実施の形態（図１〜図５参照）に対応するものであって
、これによれば、開閉ドアの下縁とトレイ取出口の下縁との間の隙間がスカート板により
塞がれているので、その隙間に子供の悪戯などにより針金を差し込んでも、スカート板に
針金の先端が当たり、その針金により筐体内のプレーヤ本体などの内部機器が傷付けられ
たり感電するおそれがなく、筐体内の前側下方に配置した発光ダイオードの光もスカート
板により遮断され、外観上の体裁も良好に維持することができ、隙間から漏れる騒音も小
さくなって、防音効果にも優れている。
【００１５】
また、ローディング信号に基づいてトレイを後進させ開閉ドアによりトレイ取出口を塞
ぐまでの間の該トレイ取出口が一時的に開放されたときに、スカート板によりトレイ取出
口の下部が覆われて、そのトレイ取出口内の上部が部分的に開放されるだけであるから、
その部分開放のトレイ取出口を通して筐体内の外部に晒される部分がわずかとなり、外観
上の体裁を良好に維持することができる。
【００１６】
更に、左右一対の端板によりスカート板を補強することができると共に、トレイ取出口
が一時的に開放されたときに、両端板により該トレイ取出口の両端部が部分的に覆われる
から、その覆われている分だけトレイ取出口を通して筐体内の外部に晒される部分が少な
くなり、外観上の体裁を一層良好に維持することができる。
【００１７】
請求項２に記載の発明は第２の実施の形態（図６〜図８参照）に対応するものであって
、これによれば、請求項１に記載の発明とほぼ同様の効果を得ることができ、特に、開閉
ドアの下縁とトレイ取出口の下縁との間の隙間に曲がりやすい針金を差し込んだ場合でも
、該針金の先端がスカート板の前面に一体突設した突条に当たって侵入を阻止されるので
、その針金がスカート板の前面に沿って曲がりながら入り込んで筐体内のプレーヤ本体な
どの内部機器を傷付けたり感電するおそれがない。
【００１８】
請求項３に記載の発明によれば、開閉ドアの下縁とトレイ取出口の下縁との間の隙間が
スカート板により塞がれているので、その隙間に子供の悪戯などにより針金を差し込んで
も、スカート板に針金の先端が当たり、その針金により筐体内のプレーヤ本体などの内部
機器が傷付けられたり感電するおそれがなく、筐体内の前側下方に配置した発光ダイオー
ドなどの光もスカート板により遮断され、外観上の体裁も良好に維持することができ、隙
間から漏れる騒音も小さくなって、防音効果にも優れている。
【００１９】
また、ローディング信号に基づいてトレイを後進させ開閉ドアによりトレイ取出口を塞
ぐまでの間の該トレイ取出口が一時的に開放されたときに、スカート板によりトレイ取出
口の下部が覆われて、そのトレイ取出口の上部が部分的に開放されるだけであるから、そ
の部分開放のトレイ取出口を通して筐体内の外部に晒される部分がわずかとなり、外観上
の体裁を良好に維持することができる。
【００２０】
請求項４記載の発明によれば、左右一対の端板によりスカート板を補強することができ
ると共に、トレイ取出口が一時的に開放されたときに、両端板により該トレイ取出口の両
端部が部分的に覆われるから、その覆われている分だけトレイ取出口を通して筐体内の外
部に晒される部分が少なくなり、外観上の体裁を一層良好に維持することができる。
【００２１】
請求項５に記載の発明によれば、開閉ドアの下縁とトレイ取出口の下縁との間の隙間に
子供の悪戯などにより曲がりやすい針金を差し込んだ場合でも、該針金の先端がスカート
板の前面に一体突設した突条に当たって侵入を阻止されるので、その針金がスカート板の
前面に沿って曲がりながら入り込んで筐体内のプレーヤ本体などの内部機器を傷付けたり
感電するおそれがない。
【発明を実施するための最良の形態】
【００２２】
図１〜図５は本発明の第１の実施の形態であるディスクプレーヤを示すものであって、
開閉ドア５の下縁からフロントパネル３Ａとプレーヤ本体２との間の空間βを通って下方
に延びる側面視略Ｌ字状スカート板１８が該開閉ドア５のほぼ全幅にわたって設けられ、
該スカート板１８の後面両端と開閉ドア５の後面との間に左右一対の端板１９が一体形成
されている。上記以外の構成は図９〜図１１に示す構成とほぼ同じであるから、同一部分
に同一符号を付してその説明を省略する。
【００２３】
上記構成によれば、開閉ドア５の下縁とトレイ取出口４の下縁との間の隙間αがスカー
ト板１８により塞がれているので、図２（ａ）に示すように、隙間αに子供の悪戯などに
より針金１６を差し込んでも、スカート板１８に針金１６の先端が当たり、その針金１６
により筐体３内のプレーヤ本体２などの内部機器が傷付けられたり感電するおそれがなく
、筐体３内の前側下方に配置した発光ダイオードＰＤの光もスカート板１８により遮断さ
れ、外観上の体裁も良好に維持することができ、隙間αから漏れる騒音も小さくなって、
防音効果に優れている。
【００２４】
また、ローディング信号に基づいてトレイ１を後進ｂさせ開閉ドア５によりトレイ取出
口４を塞ぐまでの間の該トレイ取出口４が一時的に開放されたときに、図３に示すように
、スカート板１８によりトレイ取出口４の下部が覆われて、そのトレイ取出口４内の上部
が部分的に開放されるだけであるから、その部分開放のトレイ取出口４を通して筐体３内
の外部に晒される部分がわずかとなり、外観上の体裁を良好に維持することができる。
【００２５】
更に、左右一対の端板１９によりスカート板１８を補強することができると共に、トレ
イ取出口４が一時的に開放されたときに、両端板１９により該トレイ取出口４の両端部が
部分的に覆われるから、その覆われている分だけトレイ取出口４を通して筐体３内の外部
に晒される部分が少なくなり、外観上の体裁を一層良好に維持することができる。
【００２６】
上記した第１の実施の形態では、スカート板１８により隙間αを覆うだけであるから、
その隙間αに差し込まれる針金１６が曲がりやすい場合には、図６（ａ）の比較例に示す
ように、針金１６の先端がスカート板１８の前面に沿って入り込むおそれがある。
【００２７】
そこで、図６（ｂ）〜図８に示すように、スカート板１８の前面の隙間αよりも下方位
置に該隙間αとほぼ平行する突条２０を一体突設してもよい（第２の実施の形態）。
【００２８】
上記構成によれば、隙間αに曲がりやすい針金１６を差し込んだ場合でも、該針金１６
の先端が突条２０に当たって侵入を阻止されるので、その針金１６がスカート板１８の前
面に沿って曲がりながら入り込んで筐体３内のプレーヤ本体２などの内部機器を傷付けた
り感電するおそれがない。
【図面の簡単な説明】
【００２９】
【図１】本発明の第１の実施の形態であるディスクプレーヤの正面図である。
【図２】（ａ）はトレイ取出口の閉鎖状態を示す拡大縦断面図、（ｂ）は同開放状態を示す拡大縦断面図である。
【図３】同トレイ取出口の開放状態を示す要部の斜視図である。
【図４】同要部の分解斜視図である。
【図５】同開閉ドアの後面側斜視図である。
【図６】（ａ）は比較例を示す拡大縦断面図、（ｂ）は本発明の第２の実施の形態であるディスクプレーヤの拡大縦断面図である。
【図７】同要部の分解斜視図である。
【図８】同開閉ドアの後面側斜視図である。
【図９】従来例を示す正面図である。
【図１０】（ａ）はトレイ取出口の閉鎖状態を示す拡大縦断面図、（ｂ）は同開放状態を示す拡大縦断面図である。
【図１１】同トレイ取出口の開放状態を示す要部の斜視図である。
【符号の説明】
【００３０】
１        トレイ
２        プレーヤ本体
３        筐体
３Ａ      フロントパネル
４        トレイ取出口
５        開閉ドア
９        ばね
１２      表示孔
１６      針金
１８      スカート板
１９      端板
２０      突条
ＰＤ      発光ダイオード
α        隙間
β        空隙
ａ，ｂ    前後進
ｃ，ｄ    開閉
【図１】
2005190580.tif 000003
【図２】
2005190580.tif 000004
【図３】
2005190580.tif 000005
【図４】
2005190580.tif 000006
【図５】
2005190580.tif 000007
【図６】
2005190580.tif 000008
【図７】
2005190580.tif 000009
【図８】
2005190580.tif 000010
【図９】
2005190580.tif 000011
【図１０】
2005190580.tif 000012
【図１１】
2005190580.tif 000013